(57)【要約】  光源から照射される光の光量を下げて画面全体を暗くしても特定の絵柄を明るくすることができるとともに、当該特定の絵柄に対する配置の自由度を高めることができる表示装置を提供する。  第１の絵柄（５１）が透明な領域（５３）に囲まれて描画された第１のレイヤ（Ａ）と、半透明の画像（６５）が描画された第２のレイヤ（Ｂ）と、第２の絵柄（２１、２２、２３）が描画された第３のレイヤとを、前記第２の絵柄が表示される領域に前記第１の絵柄が重ねられるように、前記第１の絵柄及び前記第２の絵柄を表示する表示部と、前記表示部に光を照射する光源と、を備える表示装置である。  また、前記光源の照明レベルを変更することにより前記第１の絵柄の輝度を変える場合、前記半透明の画像の濃淡が変更されることで前記第２の絵柄の輝度が調節される。
2014196445.tif 000002
【特許請求の範囲】
【請求項１】
第１の絵柄が透明な領域に囲まれて描画された第１のレイヤと、半透明の画像が描画された第２のレイヤと、第２の絵柄が描画された第３のレイヤと、をデータとして有し、前記第２のレイヤが前記第１のレイヤの背面に仮想的に配置され、前記第３のレイヤが前記第２のレイヤの背面に仮想的に配置され、前記第２の絵柄が表示される領域に前記第１の絵柄が重ねられるように、前記第１の絵柄及び前記第２の絵柄を表示する表示部と、
前記表示部に光を照射する光源と、
を備える、
表示装置。
【請求項２】
前記光源の照明レベルを変更することにより前記第１の絵柄の輝度を変える場合、前記半透明の画像の濃淡が変更されることで前記第２の絵柄の輝度が調節され、
前記照明レベルが最大値である場合、前記第１の絵柄と前記第２の絵柄の輝度値が一致し、前記照明レベルを下げる場合、前記半透明の画像の濃淡を濃くする、
請求項１に記載の表示装置。
【請求項３】
前記第１の絵柄は、前記第１のレイヤにおいて移動可能に描画され、
前記表示部は、前記第１の絵柄を移動させた後に、前記第１の絵柄が表示されていた領域に他の表示対象を表示する、
請求項１または２に記載の表示装置。
【発明の詳細な説明】
【技術分野】
【０００１】
本発明は、表示装置に関する。
【背景技術】
【０００２】
従来、車両用表示装置として、液晶表示器等の表示デバイスを用いて、車速、燃料残量、過給圧力値等のメータを画面に表示するグラフィックメータが知られている。また、車用に異常がある場合に点灯するテルテール（ウォーニングランプ）等もグラフィックメータの画面に表示される。【０００３】
このように、液晶表示器等を表示デバイスとしているグラフィックメータでは、周囲が明るくなると、グラフィックメータの画面が見づらくなるので、輝度を上げる必要があった。一方、トンネル内を通過する時等、周囲が暗くなると、グラフィックメータの画面が眩しくなるので、輝度を下げる必要が生じた。【０００４】
グラフィックメータの画面の輝度は、バックライトの照明レベルを変えることで調節される。例えば、バックライトの照明レベルを最小値０、最大値１５とし、照明レベルが最大の時に液晶表示器の輝度値を１００％としていた（図５（Ｂ）参照）。【０００５】
この種の先行技術として、特許文献１に記載の車両用表示装置が知られている。この車両用表示装置は、電球をバックライトとして、表示素子及びカラーフィルタを介して受光性表示素子に描かれた絵柄を表示する際、表示素子に印加する電圧を調整することにより、表示素子の透過率を変化させる。この場合、カラーフィルタはＲＧＢの各色を選択的に透過させるものであり、カラーフィルタには、絵柄が描かれてはいない。【０００６】
また、特許文献２には、第１の光制御要素と、第２の光制御要素と、これらの間に介在するディスプレイ要素とを備え、視野角の制御が可能なディスプレイ装置が示されている。【０００７】
また、特許文献３には、メータ画像が配置された主画像レイヤとは別の補助画像レイヤに配置され、背景が黒い領域で囲まれるウォーニング画像をメータ画像とともに表示するグラフィックメータが示されている。
【先行技術文献】
【特許文献】
【０００８】
【特許文献１】日本国特開昭６２−２５３５５０号公報
【特許文献２】日本国特表２００５−５２４８７０号公報
【特許文献３】日本国特開２００８−１３９３９０号公報
【発明の概要】
【発明が解決しようとする課題】
【０００９】
しかしながら、従来の表示装置では、画面に表示された特定の絵柄のみの明るさを調節することは困難であった。即ち、絵柄毎に濃淡を変えることはできなかった。このため、例えば、絵柄がグラフィックメータの画面に表示されるテルテールである場合、トンネル内を通過する時、周囲が暗くなって輝度を下げる際、バックライトの照明レベルが最小になると、テルテールの輝度が法規で定められた値を下回ることも予想された。このような場合、画面全体を明るくすることでしか、テルテールの輝度を調節することはできなかった。また、特許文献３のように、特定の絵柄の輝度を調節するために当該特定の絵柄の周囲を黒い領域で覆う場合、特定の絵柄を他の絵柄の近傍に配置すると、黒い領域が他の絵柄を塗りつぶしてしまうという問題があった。【００１０】
本発明は、上述した事情に鑑みてなされたものであり、その目的は、光源から照射される光の光量を下げて画面全体を暗くしても特定の絵柄を明るくすることができるとともに、当該特定の絵柄に対する配置の自由度を高めることができる表示装置を提供することにある。
【課題を解決するための手段】
【００１１】
前述した目的を達成するために、本発明に係る表示装置は、下記（１）〜（３）を特徴としている。
（１）  第１の絵柄が透明な領域に囲まれて描画された第１のレイヤと、半透明の画像が描画された第２のレイヤと、第２の絵柄が描画された第３のレイヤと、をデータとして有し、前記第２のレイヤが前記第１のレイヤの背面に仮想的に配置され、前記第３のレイヤが前記第２のレイヤの背面に仮想的に配置され、前記第２の絵柄が表示される領域に前記第１の絵柄が重ねられるように、前記第１の絵柄及び前記第２の絵柄を表示する表示部と、前記表示部に光を照射する光源と、を備えること。
（２）  上記（１）の構成の表示装置であって、前記光源の照明レベルを変更することにより前記第１の絵柄の輝度を変える場合、前記半透明の画像の濃淡が変更されることで前記第２の絵柄の輝度が調節され、前記照明レベルが最大値である場合、前記第１の絵柄と前記第２の絵柄の輝度値が一致し、前記照明レベルを下げる場合、前記半透明の画像の濃淡を濃くすること。
（３）  上記（１）または（２）の構成の表示装置であって、前記第１の絵柄は、前記第１のレイヤにおいて移動可能に描画され、前記表示部は、前記第１の絵柄を移動させた後に、前記第１の絵柄が表示されていた領域に他の表示対象を表示すること。【００１２】
上記（１）の構成の表示装置によれば、半透明の画像によって第１の絵柄の輝度と第２の絵柄の輝度が異なるので、光源から照射される光の光量を下げて画面全体を暗くしても、第１の絵柄だけを明るくすることができる。また、透明な領域に囲まれた第１の絵柄は、第２の絵柄が表示された領域に重ねられるように表示されるので、第１の絵柄及び第２の絵柄を密に配置することができ、配置の自由度が大きくなるとともに、全体の表示領域を狭くできる。
上記（２）の構成の表示装置によれば、半透明の画像によって第２の絵柄の輝度に対する第１の絵柄の輝度を変えることができる。従って、光源の照明レベルを上げる場合、第１の絵柄の輝度と第２の絵柄の輝度を同じ値に近づけることができ、照明レベルを下げる場合、画面全体が暗くなっても、第１の絵柄の明るさは決められた値を下回らないようにすることができる。
上記（３）の構成の表示装置によれば、第１の絵柄を移動させる場合、第１の絵柄は透明な領域に囲まれているので、移動の自由度が大きい。また、第１の絵柄の背景が透明であるので、背景が第２の絵柄を邪魔することなく、見栄えを良くすることができる。
【発明の効果】
【００１３】
本発明によれば、半透明の画像によって第１の絵柄の輝度と第２の絵柄の輝度が異なるので、光源から照射される光の光量を下げて画面全体を暗くしても、第１の絵柄だけを明るくすることができる。また、透明な領域に囲まれた第１の絵柄は、第２の絵柄が表示された領域に重ねられるように表示されるので、第１の絵柄及び第２の絵柄を密に配置することができ、配置の自由度が大きくなる。
【図面の簡単な説明】
【００１４】
【図１】図１は、本実施形態の表示装置のハードウェアの構成例を示すブロックである。
【図２】図２は、液晶表示器のグラフィック表示画面を示す図である。
【図３】図３は、グラフィック表示画面を生成する際のレイヤのデータ構造を模式的に説明する図である。
【図４】図４は、表示制御手順を示すフローチャートである。
【図５】図５（Ａ）及び図５（Ｂ）は、バックライトの照明レベルに対応するグラフィック表示画面に描画された絵柄の輝度値を示すグラフである。
【図６】図６（Ａ）及び図６（Ｂ）は、別のグラフィック表示画面を示す図である。
【図７】図７は、テルテールの画像を移動させた場合のグラフィック表示画面を示す図である。
【発明を実施するための形態】
【００１５】
本発明の実施の形態における表示装置について図面を用いて説明する。本実施形態の表示装置は、車両に搭載され、各種の計器を含むグラフィックメータに適用される。
【００１６】
図１は、本実施形態の表示装置１００のハードウェアの構成例を示すブロック図である。
図１に示すように、表示装置１００は、マイクロコンピュータ（ＣＰＵ：Central Processing Unit）１０１、読み出し専用メモリ（ＥＥＰＲＯＭ：Electrically Erasable Programmable Read Only Memory）１０２、インタフェース１０３、１０４、１１６、ＣＰＵ電源部１０５、グラフィックコントローラ１０６、フレームメモリ１０７、Ｘドライバ１０８、Ｙドライバ１０９、ＬＣＤ（Liquid Crystal Display）電源部１１０、及び液晶表示器（ＴＦＴ−ＬＣＤ：Thin Film Transistor Liquid Crystal Display）１１１等を備えている。
【００１７】
マイクロコンピュータ（ＣＰＵ）１０１は、制御部であり、予め用意されたプログラムを実行し、表示装置１００の機能を実現するために必要な様々な処理を行う。例えば、後述する図４のフローチャートに示した処理をマイクロコンピュータ１０１が行う。
【００１８】
読み出し専用メモリ（ＥＥＰＲＯＭ）１０２は、マイクロコンピュータ１０１が実行するプログラムの内容や予め用意された固定データ等を保持している。本実施形態では、固定データとして、後述するバックライト１１５の照明レベルに対応する、グラフィック表示画面１２０に表示されるオブジェクト（絵柄）の輝度値を表すテーブルが登録されている。
【００１９】
インタフェース１０３は、車両側のイグニッションスイッチの状態を表す信号（ＩＧＮ＋）をマイクロコンピュータ１０１に入力する。
【００２０】
インタフェース１０４は、マイクロコンピュータ１０１と車両に搭載されている各種制御装置（ＥＣＵ：Electric Control Unit）や各種センサとの間で、ＣＡＮ（Controller Area Network）規格による通信を行うために利用される。具体的には、走行速度、過給圧力値、燃料量等の車両の各種状態量の現在値を表すデータが、ほぼリアルタイムのデータとして各種制御装置あるいはセンサからインタフェース１０４を介してマイクロコンピュータ１０１に入力される。例えば、インタフェース１０４は、車両が所定量移動する毎に当該車両側に搭載された速度センサから出力される車速パルス信号を受け付け、現在の車両の走行速度の値を表す走行速度情報としてマイクロコンピュータ１０１に出力する。
【００２１】
また、インタフェース１０４は、過給機により内燃機関へ強制的に送り込まれる圧縮された空気の圧力を検出する圧力センサから出力される過給圧力値（ブースト値）の現在値を表す信号を受け付け、現在の過給圧力値を表す過給圧力情報としてマイクロコンピュータ１０１に出力する。
【００２２】
また、インタフェース１０４は、燃料センサによって検出された燃料量の情報を受け付け、マイクロコンピュータ１０１に出力する。
【００２３】
また、インタフェース１１６は、グラフィック表示画面１２０（図２参照）の明るさを可変させるボリューム等に接続され、運転者等がボリュームを回すことで、つまり手動で設定された照明レベルを受け付け、マイクロコンピュータ１０１に出力する。また、周囲の明るさを検知する照度センサ（図示せず）がインタフェース１１６に接続され、照度センサによって得られた照明レベルが自動でマイクロコンピュータ１０１に出力されるようにしてもよい。
【００２４】
ＣＰＵ電源部１０５は、車両側のプラス側電源ライン（＋Ｂ）から供給される直流電力を入力してマイクロコンピュータ１０１の動作に必要な直流電圧（Ｖｃｃ）を生成する。また、必要に応じてリセット信号を生成したり、マイクロコンピュータ１０１から出力されるスリープ信号に従って電力供給を抑制するための動作も行う。
【００２５】
液晶表示器１１１は、表示部であり、液晶デバイスにより構成された多数の微小表示セルをＸ方向及びＹ方向に並べて配置されたカラーの２次元表示画面を有する。液晶表示器１１１は、多数の微小表示セルの表示状態をセル毎に個別に制御することにより、２次元表示画面上に図形、文字、画像等の所望の情報をグラフィック表示することができる画像表示式の表示器である。
【００２６】
また、液晶表示器１１１の背面には、光を照射するバックライト１１５（光源）が配置される。
【００２７】
図２は液晶表示器１１１のグラフィック表示画面１２０を示す図である。グラフィック表示画面１２０は、表示される領域がそれぞれ異なる、第１の表示領域３１、第２の表示領域３２、及び第３の表示領域３３を有している。
【００２８】
第１の表示領域３１は、現在の車両の走行速度を示す速度計２１が表示される領域である。第１の表示領域３１には、速度計２１を構成する速度スケール３５と指針３６とが表示される。指針３６は、速度スケール３５上の一部を指し示すことで、現在の車両の走行速度を指示する。また、速度計２１の外形を表すリング３７の内側の下方には、車両に異常がある場合に点灯するテルテール（ウォーニングランプ）５１の画像が表示される。
【００２９】
第２の表示領域３２は、現在の過給圧力値（呈示量）を示すブースト計２２が表示される領域である。過給圧力値は予め設定された最大値に対する割合（パーセント）として呈示される。
【００３０】
第３の表示領域３３は、現在の燃料残量を示す燃料計２３が表示される領域である。第３の表示領域３３には、燃料スケール４１とバー４０とが表示される。バー４０は、燃料スケール４１上の一部を指し示すことで、現在の燃料残量を表す。
【００３１】
液晶表示器１１１の表示画面のＹ方向の走査位置は、Ｙドライバ１０９の出力により順次に切り替わる。Ｙドライバ１０９は、グラフィックコントローラ１０６から出力される垂直同期信号に同期して、Ｙ方向の走査位置を順次に切り替える。
【００３２】
Ｘドライバ１０８は、グラフィックコントローラ１０６から出力される水平同期信号に同期して、液晶表示器１１１の表示画面のＸ方向の走査位置を順次に切り替える。また、Ｘドライバ１０８は、グラフィックコントローラ１０６から出力されるＲＧＢ各色の画像データを走査位置の表示セルに与えて画面中の表示内容を制御する。
【００３３】
グラフィックコントローラ１０６は、マイクロコンピュータ１０１から入力される様々な命令に従って、様々なグラフィック要素を液晶表示器１１１の画面上に表示する。グラフィックコントローラ１０６の内部には、フレームメモリ１０７が設けられている。このフレームメモリ１０７には、画像が描画された３つのレイヤである、レイヤＡ、レイヤＢ及びレイヤＣがデータとして用意されている。
【００３４】
本実施形態では、レイヤＡには、明るさを変化させる第１の絵柄として、メータ機種毎に異なる絵柄、ここではテルテール５１（図２参照）の画像が透明な背景に、つまり透明な領域５３に囲まれて描画される。レイヤＣには、明るさを変化させない第２の絵柄として、全機種に共通する絵柄、ここでは速度計２１、ブースト計２２及び燃料計２３の画像が描画される。
【００３５】
また、レイヤＢには、半透明の画像（マスク画像）が描画される。半透明の画像は例えば灰色の画像である。レイヤＢの背面に位置するレイヤＣを視たとき、該レイヤＣに描画された第２の絵柄の輝度は、レイヤＢによって減衰され描画される。なお、レイヤＢに描画される半透明の画像は、中間調（ハーフトーンと呼ばれることもある。）で表現されてもよいし、誤差拡散法等による２値のドットパターンで表現されてもよい。
【００３６】
各レイヤＡ、Ｂ、Ｃの画素毎の表示内容を保持するフレームメモリ１０７に対して、マイクロコンピュータ１０１又はグラフィックコントローラ１０６が表示データを書き込み、グラフィックの描画を行う。
【００３７】
また、グラフィックコントローラ１０６は、液晶表示器１１１の画面を２次元走査するための垂直同期信号及び水平同期信号を生成し、これらの同期信号に同期したタイミングでフレームメモリ１０７内のレイヤＡ、Ｂ、Ｃ毎に該当するアドレスに格納されている表示データを用いて描画処理を行い、得られた画像データを液晶表示器１１１に与える。
【００３８】
ＬＣＤ電源部１１０は、車両側のプラス側電源ライン（＋Ｂ）から供給される直流電力を入力して、液晶表示器１１１の表示に必要とされる所定の直流電力を生成し、液晶表示器１１１及びバックライト１１５等に供給する。
【００３９】
上記構成を有する表示装置１００の表示制御動作を示す。本実施形態の表示装置１００はグラフィック表示画面１２０を生成する。図３はグラフィック表示画面１２０を生成する際のレイヤのデータ構造を模式的に説明する図である。前述したように、レイヤＡのデータには、グラフィック表示画面１２０に表示される第１の絵柄として、透明な領域５３に囲まれたテルテール５１の画像が含まれる。また、レイヤＣのデータには、グラフィック表示画面１２０に表示される第２の絵柄として描画された、速度計２１、ブースト計２２及び燃料計２３の画像が含まれる。
【００４０】
また、レイヤＢのデータは、レイヤＣに描画された第２の絵柄の輝度を変更するための、半透明（例えば灰色）の画像６５で構成される。即ち、グラフィックコントローラ１０６は、レイヤＢに描画された半透明の画像６５の不透明度が濃くなる程、レイヤＣに描画された第２の絵柄の輝度が下がるような描画処理を行う。本実施形態では、レイヤＢの全領域に、バックライト１１５の照明レベルを増加させても、速度計２１、ブースト計２２及び燃料計２３の画像の輝度値が変わらないように、バックライト１１５の照明レベルの増加分に見合う分だけレイヤＢの不透明度が濃く設定された灰色の画像が描画される。
【００４１】
これらのレイヤＡ、レイヤＢ及びレイヤＣを表示装置１００に表示する際、レイヤＡ、レイヤＢ及びレイヤＣは、この順に仮想的に配置された状態で重畳して表示される。このため、レイヤＣは、レイヤＢによって全面が覆われた状態で表示される。
【００４２】
図４は表示制御手順を示すフローチャートである。この制御プログラムは、読み出し専用メモリ１０２に記憶されており、マイクロコンピュータ（ＣＰＵ）１０１によって実行される。
【００４３】
ＣＰＵ１０１は、インタフェース１１６を介して、グラフィック表示画面１２０の明るさを変更するために設定された照明レベルを入力する（ステップＳ１）。本実施形態では、グラフィック表示画面１２０の照明レベルは、最小値０〜最大値１５までの範囲で段階的に設定される。
【００４４】
ＣＰＵ１０１は、ＥＥＰＲＯＭ１０２に保持されているテーブルを参照し、バックライト１１５の照明レベルに対応するグラフィック表示画面１２０の輝度値を決定する（ステップＳ２）。
【００４５】
図５（Ａ）及び図５（Ｂ）はバックライト１１５の照明レベルに対応するグラフィック表示画面１２０に描画された絵柄の輝度値を示すグラフである。図５（Ａ）に示すグラフは、ＥＥＰＲＯＭ１０２に保持されているテーブルの内容を表す。輝度値は、照明レベルが最大値１５である場合の輝度値を１００％とする相対値で表されている。
【００４６】
図５（Ａ）に示すように、テルテール５１の画像の輝度値８１は、その他の画像の輝度値８２と比べ、照明レベルが下がっても、あまり下がらないように設定されている。（ここでは、その下限値が４０％に設定されている。）。言い換えれば、その他の画像の輝度値８２は、その他の画像から出射される光がレイヤＢによって減衰されることを表現するため、テルテール５１の画像の輝度値８１よりも下がり易く設定されている。従って、照明レベルが下がるほど、両者の差は広がっている。一方、従来では、図５（Ｂ）に示すように、照明レベルを変えた場合、テルテールの画像の輝度値とその他の画像の輝度値は同じように変化する。
【００４７】
ＣＰＵ１０１は、ステップＳ２で決定された、照明レベルに対応する輝度値になるように、レイヤＢに描画される灰色の画像の濃淡を変更する（ステップＳ３）。即ち、ＣＰＵ１０１は、テルテール５１が輝度値８１となり、その他の画像が輝度値８２となるような、濃淡を持つ灰色の画像をレイヤＢの全領域に描画する。これにより、照明レベルを増やして、レイヤＡに描画されたテルテール５１の画像の輝度を上げる際、レイヤＢに描画された灰色の画像によってその他の画像の輝度値８２が下げられる。この後、ＣＰＵ１０１はステップＳ１の処理に戻る。
【００４８】
このグラフィックメータ１００では、例えば車両がトンネル内に入り、急に周囲が暗い環境になると、グラフィック表示画面１２０は明るくなり過ぎるので、バックライト１１５の照明レベルが自動もしくは手動で下げられる。
【００４９】
従来では、グラフィック表示画面１２０が眩しくならない程度に、グラフィック表示画面全体の輝度が下がっていた。本実施形態では、テルテール５１の輝度は、多少下がるものの、その他の画像の輝度と比べて高くなっている。
【００５０】
また、仮に照明レベルが最小値に設定されても、テルテール５１の輝度は、法規で定められた下限値を下回らない。この場合、その他のメータ画像（速度計２１、ブースト計２２、燃料計２３）と比べて、テルテール５１の画像の輝度は高いので、運転者はテルテール５１の画像だけは依然として視認可能である。
【００５１】
一方、例えば車両がトンネルを抜け、周囲が明るい環境になると、グラフィック表示画面全体の輝度が下がったままだと見づらくなるので、バックライト１１５の照明レベルが上げられる。テルテール５１の画像及びその他のメータ画像（速度計２１、ブースト計２２、燃料計２３）の輝度はともに上昇し、運転者にとって見易くなる。特に、直射日光が当たる場合、バックライト１１５の照明レベルは最大値まで上げられる。この場合、テルテール５１の画像及びその他のメータ画像（速度計２１、ブースト計２２、燃料計２３）は同じ輝度値で表示される。従って、運転者は、テルテール５１の画像をその他のメータ画像と同じ明るさで視認することができる。
【００５２】
図６は別のグラフィック表示画面３２０を示す図である。このグラフィック表示画面３２０では、テルテール３５１の画像として、ハイビーム作動等の警告を表す画像が表示されている。また、指針の周囲にスポットライトの像が形成されている。このスポットライトの像は、指針の移動に応じて移動するようになっており、スポットライトの中心が指針に重なるようになっている。
【００５３】
図６（Ａ）に示すように、グラフィック表示画面３２０では、テルテール３５１の周囲が透明な領域で囲まれている。この場合、指針が低速を表すことに応じてスポットライトの像が画面の下方に移動したとしても、テルテール３５１の透明な領域がスポットライトの像に重なるだけであり、スポットライトの像に欠けが生じることがない。つまり、テルテール３５１が、透明な領域に囲まれているので、メータ画像である速度計３２１が表示された領域（リングの内側の領域）に重ねられるように表示される。そして、背景が透明であるので、テルテール３５１の画像と、速度計３２１（特に目盛りを含む速度スケール）の画像とが直接に重ならない限り、テルテール３５１の画像を速度計３２１の内側で自由に配置できる。
【００５４】
一方、比較例として図６（Ｂ）に示すグラフィック表示画面２２０では、テルテール２５１の周囲が黒い領域で囲まれている。この場合、指針が低速を表すことに応じてスポットライトの像が画面の下方に移動すると、テルテール２５１の黒い領域がスポットライトの像に重なってしまう。このため、スポットライトの一部が欠けて表示されることになり、見栄えが悪くなる。
【００５５】
従って、本実施形態では、テルテール５１の画像及び速度計２１であるメータ画像を密に配置することができ、配置の自由度が大きくなるとともに、全体の表示領域を狭くできる。また、背景が邪魔にならないことで、速度計２１の見栄えを良くすることができる。即ち、背景が不透明な領域で囲まれるテルテールの画像を速度計の内側に表示した場合、背景が、値０や最大値１８０付近の速度を指し示す指針の画像と重なると、像の欠けが生じてしまうことが考えられた。この結果、見栄えが悪くなる。
【００５６】
図７はテルテール５１の画像を移動させた場合のグラフィック表示画面１２０を示す図である。グラフィック表示画面１２０において、警告表示、駐車支援システムの表示、運転支援システムの表示等、他の表示対象の表示が行われる場合、速度計２１のリング３７の内側に表示されていたテルテール５１の画像を移動させる。
【００５７】
ここでは、テルテール５１の画像を速度計２１の中心側にずらし、空いたスペースに警報メッセージ５５が表示される。この警報メッセージ５５は、「車間距離に注意しましょう」といった運転支援システムの表示であり、レイヤＣに描画される。
【００５８】
このように、テルテール５１の画像は透明な領域に囲まれているので、テルテール５１の画像が速度計２１を構成する速度スケール３５やリング３７と直接に重ならない限り、任意の位置に移動可能であり、移動の自由度が大きい。また、テルテール５１の画像の背景が透明であるので、例えば背景が指針３６の画像と重なっても像の欠けが生じることなく、つまり速度計２１の表示を邪魔することなく、テルテール５１の画像を配置することができ、見栄えを良くすることができる。即ち、背景が不透明な領域で囲まれるテルテールの画像を速度計の内側で移動させようとすると、背景が指針、目盛り、リング等の画像と重なって像の欠けが生じ易く、移動が大きく制限された。
【００５９】
なお、本発明は、上記実施形態の構成に限られるものではなく、特許請求の範囲で示した機能、または本実施形態の構成が持つ機能が達成できる構成であればどのようなものであっても適用可能である。
【００６０】
例えば、上記実施形態では、グラフィック表示画面のテルテールの画像の輝度を上げる場合、その他の画像の輝度が変わらない場合を示したが、その他の画像の輝度をテルテールの画像の輝度とは異なるように変化させてもよい。これにより、表示形態に更なる変化を持たせることができる。
【００６１】
また、上記実施形態では、車両に搭載されたグラフィックメータに適用されたが、各種の機器に搭載された表示装置にも、本発明は適用可能である。
また、本発明は、液晶表示器に限らず、バックライトからの光を受けて画面に描画された画像を表示する表示装置一般に適用可能である。
【００６２】
本発明は、描画された絵柄を表示する際、絵柄毎の濃淡を可変とすることでより複雑な表示形態を実現でき、有用である。
【００６３】
ここで、上述した本発明に係る表示装置の実施形態の特徴をそれぞれ以下［１］〜［３］に簡潔に纏めて列記する。
［１］  テルテール（５１）が透明な領域（５３）に囲まれて描画されたレイヤ（Ａ）と、半透明の画像（６５）が描画されたレイヤ（Ｂ）と、速度計（２１）が描画されたレイヤ（Ｃ）と、をデータとして有し、前記レイヤ（Ｂ）が前記レイヤ（Ａ）の背面に仮想的に配置され、前記レイヤ（Ｃ）が前記レイヤ（Ｂ）の背面に仮想的に配置され、前記速度計（２１）が表示される領域に前記テルテール（５１）が重ねられるように、前記テルテール（５１）及び前記速度計（２）を表示する液晶表示器（１１１）と、
前記液晶表示器（１１１）に光を照射するバックライト（１１５）と、
を備える表示装置。
［２］  前記バックライト（１１５）の照明レベルを変更することにより前記テルテール（５１）の輝度を変える場合、前記半透明の画像（６５）の濃淡が変更されることで前記速度計（２１）の輝度が調節され、
前記照明レベルが最大値である場合、前記テルテール（５１）と前記速度計（２１）の輝度値が一致し、前記照明レベルを下げる場合、前記半透明の画像（６５）の濃淡を濃くする、
［１］に記載の表示装置。
［３］  前記テルテール（５１）は、前記レイヤ（Ａ）において移動可能に描画され、
前記液晶表示器（１１１）は、前記テルテール（５１）を移動させた後に、前記テルテール（５１）が表示されていた領域に警報メッセージ（５５）を表示する、
［１］または［２］に記載の表示装置。
【００６４】
本発明を詳細にまた特定の実施態様を参照して説明したが、本発明の精神と範囲を逸脱することなく様々な変更や修正を加えることができることは当業者にとって明らかである。
【００６５】
本出願は、2013年6月3日出願の日本特許出願（特願2013−117165）に基づくものであり、その内容はここに参照として取り込まれる。
【産業上の利用可能性】
【００６６】
本発明によれば、光源から照射される光の光量を下げて画面全体を暗くしても特定の絵柄を明るくすることができるとともに、当該特定の絵柄に対する配置の自由度を高めることができるという効果を奏する。この効果を奏する本発明は、表示装置に関して有用である。
【符号の説明】
【００６７】
２１、２２１、３２１  速度計
２２  ブースト計
２３  燃料計
３１  第１の表示領域
３２  第２の表示領域
３３  第３の表示領域
３５  速度スケール
３７  リング
３８  指針
４１  燃料スケール
５１、２５１、３５１  テルテール
５３  透明な領域
５５  警報メッセージ
６５  灰色の画像
１００  表示装置
１０１  マイクロコンピュータ
１０２  読み出し専用メモリ
１０３、１０４、１１６  インタフェース
１０５  ＣＰＵ電源部
１０６  グラフィックコントローラ
１０７  フレームメモリ
１０８  Ｘドライバ
１０９  Ｙドライバ
１１０  ＬＣＤ電源部
１１５  バックライト
１１１  液晶表示器
１２０、２２０、３２０  グラフィック表示画面
２２２、３２２  水温計
２２３、３２３  回転計
【図１】
2014196445.tif 000003
【図２】
2014196445.tif 000004
【図３】
2014196445.tif 000005
【図４】
2014196445.tif 000006
【図５】
2014196445.tif 000007
【図６】
2014196445.tif 000008
【図７】
2014196445.tif 000009
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
第１の絵柄が透明な領域に囲まれて描画された第１のレイヤと、半透明の画像が描画された第２のレイヤと、第２の絵柄が描画された第３のレイヤと、をデータとして有し、前記第２のレイヤが前記第１のレイヤの背面に仮想的に配置され、前記第３のレイヤが前記第２のレイヤの背面に仮想的に配置され、前記第２の絵柄が表示される領域に前記第１の絵柄が重ねられるように、前記第１の絵柄及び前記第２の絵柄を表示する表示部と、
前記表示部に光を照射する光源と、
を備え、
前記光源の照明レベルを変更することにより前記第１の絵柄の輝度を変える場合、前記半透明の画像の濃淡が変更されることで前記第２の絵柄の輝度が調節される、
表示装置。
【請求項２】
前記照明レベルが最大値である場合、前記第１の絵柄と前記第２の絵柄の輝度値が一致し、前記照明レベルを下げる場合、前記半透明の画像の濃淡を濃くする、
請求項１に記載の表示装置。
【請求項３】
前記第１の絵柄は、前記第１のレイヤにおいて移動可能に描画され、
前記表示部は、前記第１の絵柄を移動させた後に、前記第１の絵柄が表示されていた領域に他の表示対象を表示する、
請求項１または２に記載の表示装置。
【請求項４】
第１の絵柄が透明な領域に囲まれて描画された第１のレイヤと、半透明の画像が描画された第２のレイヤと、第２の絵柄が描画された第３のレイヤと、をデータとして有し、前記第２のレイヤが前記第１のレイヤの背面に仮想的に配置され、前記第３のレイヤが前記第２のレイヤの背面に仮想的に配置され、前記第２の絵柄が表示される領域に前記第１の絵柄が重ねられるように、前記第１の絵柄及び前記第２の絵柄を表示する表示部と、
前記表示部に光を照射する光源と、
を備え、
前記第１の絵柄は、前記第１のレイヤにおいて移動可能に描画され、
前記表示部は、前記第１の絵柄を移動させた後に、前記第１の絵柄が表示されていた領域に他の表示対象を表示する、
表示装置。
【手続補正２】
【補正対象書類名】明細書
【補正対象項目名】００１１
【補正方法】変更
【補正の内容】
【００１１】
前述した目的を達成するために、本発明に係る表示装置は、下記（１）〜（４）を特徴としている。
（１）  第１の絵柄が透明な領域に囲まれて描画された第１のレイヤと、半透明の画像が描画された第２のレイヤと、第２の絵柄が描画された第３のレイヤと、をデータとして有し、前記第２のレイヤが前記第１のレイヤの背面に仮想的に配置され、前記第３のレイヤが前記第２のレイヤの背面に仮想的に配置され、前記第２の絵柄が表示される領域に前記第１の絵柄が重ねられるように、前記第１の絵柄及び前記第２の絵柄を表示する表示部と、前記表示部に光を照射する光源と、を備え、
前記光源の照明レベルを変更することにより前記第１の絵柄の輝度を変える場合、前記半透明の画像の濃淡が変更されることで前記第２の絵柄の輝度が調節されること。
（２）  上記（１）の構成の表示装置であって、前記照明レベルが最大値である場合、前記第１の絵柄と前記第２の絵柄の輝度値が一致し、前記照明レベルを下げる場合、前記半透明の画像の濃淡を濃くすること。
（３）  上記（１）または（２）の構成の表示装置であって、前記第１の絵柄は、前記第１のレイヤにおいて移動可能に描画され、前記表示部は、前記第１の絵柄を移動させた後に、前記第１の絵柄が表示されていた領域に他の表示対象を表示すること。
（４）  第１の絵柄が透明な領域に囲まれて描画された第１のレイヤと、半透明の画像が描画された第２のレイヤと、第２の絵柄が描画された第３のレイヤと、をデータとして有し、前記第２のレイヤが前記第１のレイヤの背面に仮想的に配置され、前記第３のレイヤが前記第２のレイヤの背面に仮想的に配置され、前記第２の絵柄が表示される領域に前記第１の絵柄が重ねられるように、前記第１の絵柄及び前記第２の絵柄を表示する表示部と、前記表示部に光を照射する光源と、を備え、
前記第１の絵柄は、前記第１のレイヤにおいて移動可能に描画され、
前記表示部は、前記第１の絵柄を移動させた後に、前記第１の絵柄が表示されていた領域に他の表示対象を表示すること。
【手続補正３】
【補正対象書類名】明細書
【補正対象項目名】００１２
【補正方法】変更
【補正の内容】
【００１２】
上記（１）の構成の表示装置によれば、半透明の画像によって第１の絵柄の輝度と第２の絵柄の輝度が異なるので、光源から照射される光の光量を下げて画面全体を暗くしても、第１の絵柄だけを明るくすることができる。また、透明な領域に囲まれた第１の絵柄は、第２の絵柄が表示された領域に重ねられるように表示されるので、第１の絵柄及び第２の絵柄を密に配置することができ、配置の自由度が大きくなるとともに、全体の表示領域を狭くできる。また、半透明の画像によって第２の絵柄の輝度に対する第１の絵柄の輝度を変えることができる。従って、照明レベルを下げる場合、画面全体が暗くなっても、第１の絵柄の明るさは決められた値を下回らないようにすることができる。
上記（２）の構成の表示装置によれば、半透明の画像によって第２の絵柄の輝度に対する第１の絵柄の輝度を変えることができる。従って、光源の照明レベルを上げる場合、第１の絵柄の輝度と第２の絵柄の輝度を同じ値に近づけることができ、照明レベルを下げる場合、画面全体が暗くなっても、第１の絵柄の明るさは決められた値を下回らないようにすることができる。
上記（３）及び（４）の構成の表示装置によれば、第１の絵柄を移動させる場合、第１の絵柄は透明な領域に囲まれているので、移動の自由度が大きい。また、第１の絵柄の背景が透明であるので、背景が第２の絵柄を邪魔することなく、見栄えを良くすることができる。
【国際調査報告】
2014196445.tif 000010
2014196445.tif 000011